(57)【要約】【課題】蒸留により回収冷媒フロンに混在する不純物を除去して高品質の冷媒フロンを分離回収する。【解決手段】蒸留再生処理装置Ｘが、回収冷媒容器７を収容するための高温室１と、充填用空容器８を収容するための低温室２を併設し、それぞれの容器間を切り離し可能に配管接続した蒸留管路９を配設してなり、高温室１で蒸発させた回収冷媒フロンを蒸留管路９を介して充填用空容器８に導入し液化回収するようにしている。ここで、高温室１と低温室２との間にヒートポンプ３を介設して冷却器４、加温器５及び凝縮器６を配設し、高低の温度差が２０〜３０℃となるように調整又は維持する。また、低温室２に導入した蒸留管路９を分岐し、開閉弁を介して室外設置した真空ポンプ１１とガス回収装置１２に接続した分岐管路１０を配設し、蒸留管路９内を負圧にする前処理と、蒸留管路９内の残留フロンを別途回収する後処理をおこなう。【選択図】　　　　図１
2004024921.tif 000002
【特許請求の範囲】
【請求項１】
回収冷媒フロンの再生処理装置において、
蒸留により回収冷媒フロンに混在する不純物を除去して高品質の冷媒フロンを分離回収するための回収冷媒フロンの蒸留再生処理装置であって、
回収冷媒容器を収容するための高温室と、充填用空容器を収容するための低温室を併設し、それぞれの容器間を切り離し可能に配管接続した蒸留管路を配設してなり、前記高温室で蒸発させた回収冷媒フロンを前記蒸留管路を介して前記充填用空容器に導入し液化回収するようにしたことを特徴とする回収冷媒フロンの蒸留再生処理装置。
【請求項２】
高温室と低温室との間にヒートポンプを介設して冷却器、加温器及び凝縮器を配設し、室温又は温度差を調整又は維持するようにした請求項１記載の回収冷媒フロンの蒸留再生処理装置。
【請求項３】
低温室に導入した蒸留管路を分岐し、開閉弁を介して室外設置した真空ポンプとガス回収装置に接続した分岐管路を配設し、前記真空ポンプにより蒸留管路内を負圧にする前処理と、前記ガス回収装置により蒸留管路内の残留フロンを別途回収する後処理をおこなうようにした請求項１又は２記載の回収冷媒フロンの蒸留再生処理装置。
【請求項４】
高温室が３５℃前後であり、低温室が５℃前後であって、高低の温度差が２０〜３０℃となるように調整又は維持するものである請求項１乃至３のいずれか１項記載の回収冷媒フロンの蒸留再生処理装置。
【請求項５】
回収冷媒フロンの再生処理方法において、
蒸留により回収冷媒フロンに混在する不純物を除去して高品質の冷媒フロンを分離回収するための回収冷媒フロンの蒸留再生処理方法であって、
高温室と低温室を併設し、高温室に回収冷媒容器を収容するとともに、低温室に充填用空容器を収容し、それぞれの容器間に切り離し可能に配管接続した蒸留管路を介して、前記高温室で蒸発させた回収冷媒フロンを前記充填用空容器に導入し液化回収するようにしたことを特徴とする回収冷媒フロンの蒸留再生処理方法。
【請求項６】
回収冷媒フロンの再生処理方法において、
蒸留により回収冷媒フロンに混在する不純物を除去して高品質の冷媒フロンを分離回収するための回収冷媒フロンの蒸留再生処理方法であって、
ヒートポンプを介して熱管理又は温度管理される高温室と低温室を併設し、高温室に回収冷媒容器を収容し、かつ、低温室に充填用空容器を収容し、それぞれの容器間を切り離し可能に配管接続した蒸留管路を配設するとともに、低温室に導入した蒸留管路を分岐し、開閉弁を介して室外設置した真空ポンプとガス回収装置に接続した分岐管路を配設してなる回収冷媒フロンの蒸留再生処理装置を用い、
高温室に回収冷媒容器を収容し、低温室に充填用空容器を収容して蒸留管路に接続した後、該蒸留管路を閉鎖し、分岐管路を開いて真空ポンプを稼働し、蒸留管路内を負圧にする前処理と、
分岐管路を閉鎖し、蒸留管路を開いて高低の温度差を維持しながら所定時間放置して冷媒フロンを液化回収する蒸留再生処理と、
再び蒸留管路を閉鎖し、分岐管路を開いてガス回収装置を稼働し、蒸留管路内の残留フロンを別途回収する後処理
を包含することを特徴とする回収冷媒フロンの蒸留再生処理方法。
【請求項７】
高温室を３５℃前後とし、低温室を５℃前後として、高低の温度差が２０〜３０℃となるように調整又は維持するものである請求項５又は６記載の回収冷媒フロンの蒸留再生処理方法。
【発明の詳細な説明】
【０００１】
【産業上の利用分野】
本発明は、回収冷媒フロンの再生処理装置に係り、詳しくは、蒸留により回収冷媒フロンに混在する不純物を除去して高品質の冷媒フロンを分離回収するための回収冷媒フロンの蒸留再生処理装置及び蒸留再生処理方法に関する。
【０００２】
【従来の技術】
従来より、回収冷媒フロンの再生処理装では、加熱冷却に温水と冷水を利用し、蒸発、凝縮させて蒸留再生処理をおこなうものが知られている。〔以下、従来技術イ。〕
【０００３】
また、より以前には、実開平４−２２００１号に見られるように、タンク貯留した回収冷媒フロン（不純物混入液体）を加熱蒸発させ、かつ、加振し、再生室（冷却手段）に配管導入して凝縮液化させて再生液タンクに回収するフロン回収装置が知られている。〔以下、従来技術ロ。〕
【０００４】
【発明が解決しようとする課題】
しかしながら、従来技術イでは、水を伝熱媒体として用いるため、設備が複雑で作業も煩雑であった。
【０００５】
また、従来技術ロでは、加熱手段と冷却手段をそれぞれ熱源を別体として独自に手段構成しており、装置構成が固定的であるという欠点があった。
【０００６】
本発明はこのような事情に鑑みなされたものであって、上記課題を解消し、高温室と低温室を設けて、回収冷媒容器（ボンベ）と充填用空容器（ボンベ）をそれぞれ収容し、該ボンベ単位で一系統から多系統の蒸留再生処理をおこなうことができる回収冷媒フロンの蒸留再生処理装置及び蒸留再生処理方法を提供するものである。
【０００７】
【課題を解決するための手段】
課題を解決するために本発明は、蒸留により回収冷媒フロンに混在する不純物を除去して高品質の冷媒フロンを分離回収するための回収冷媒フロンの蒸留再生処理装置であって、
回収冷媒容器を収容するための高温室と、充填用空容器を収容するための低温室を併設し、それぞれの容器間を切り離し可能に配管接続した蒸留管路を配設してなり、前記高温室で蒸発させた回収冷媒フロンを前記蒸留管路を介して前記充填用空容器に導入し液化回収するようにしたことを特徴とするものである。
【０００８】
また、回収冷媒フロンの蒸留再生処理方法であって、
高温室と低温室を併設し、高温室に回収冷媒容器を収容するとともに、低温室に充填用空容器を収容し、それぞれの容器間に切り離し可能に配管接続した蒸留管路を介して、前記高温室で蒸発させた回収冷媒フロンを前記充填用空容器に導入し液化回収するようにしたことを特徴とするものである。
【０００９】
【発明の実施の形態】
本発明の実施の形態について添付図面を参照して以下説明する。
【００１０】
図１に本発明装置（Ｘ）のフローシートを示すように、ヒートポンプ（３）を介して高温室（１）と低温室（２）を併設し、低温室（２）内に冷却器（４）、高温室（１）内に加温器（５）を配し、該加温器（５）と系統切替可能に室外に凝縮器（６）を配置する。
【００１１】
熱管理又は温度管理は、高温室（１）を３５℃前後とし、低温室（２）を５℃前後として、高低の温度差が２０〜３０℃となるように室温又は温度差を調整又は維持することである。なお、高温室（１）には、回収冷媒容器（７）内のフロンの液面が低下したとき、該容器（７）の下部を加温するための加温送風機（１３）を設置してもよい。
【００１２】
ここで、高温室（１）に回収冷媒容器（７）を収容し、かつ、低温室（２）に充填用空容器（８）を収容し、それぞれの容器（７，８）間を切り離し可能に配管接続した蒸留管路（９）を配設する。なお、水分を捕捉する目的で蒸留管路（９）にドライヤー（９１）を介設してもよい。
【００１３】
また、低温室（２）に導入した蒸留管路（９）を分岐し、開閉弁を介して室外設置した真空ポンプ（１１）とガス回収装置（１２）に接続した分岐管路（１０）を配設する。
【００１４】
そして、高温室（１）に回収冷媒容器（７）を収容し、低温室（２）に充填用空容器（８）を収容して蒸留管路（９）に接続した後、該蒸留管路（９）を閉鎖し、分岐管路（　）を開いて真空ポンプ（１１）を稼働し、蒸留管路（９）内を負圧にする前処理（Ａ）をおこなう。
【００１５】
ついで、分岐管路（１０）を閉鎖し、蒸留管路（９）を開いて高低の温度差を維持しながら所定時間放置して冷媒フロン〔再生冷媒に同じ。〕を液化回収する蒸留再生処理（Ｂ）をおこなう。
【００１６】
さらに、再び蒸留管路（９）を閉鎖し、分岐管路（１０）を開いてガス回収装置（１２）を稼働し、蒸留管路（９）内の残留フロンを別途回収する後処理（Ｃ）をおこなう。
【００１７】
この前処理（Ａ）、蒸留再生処理（Ｂ）、後処理（Ｃ）からなる一連の蒸留再生処理に要する時間は、２０ｋｇボンベで１５〜１８時間を見込めばよい。
【００１８】
公的機関に依頼した再生冷媒の分析結果を表１に示す。表１に示されるように、本発明装置（Ｘ）により蒸留再生した再生冷媒は、新品冷媒のＪＩＳ規格値に相当する品質が保持されている。
【００１９】
【表１】
2004024921.tif 000003
【００２０】
なお、処理可能な回収冷媒フロンは、フロンＲ−２２に限らず、ＣＦＣ、ＨＣＦＣ、ＨＦＣの蒸留再生処理について適用可能である。
【００２１】
【発明の効果】
本発明は以上の構成よりなるものであり、これによれば回収冷媒フロンを簡便かつ安価に再生することができる。しかも、再生冷媒は蒸留により不純物と分離され高品質である。
【００２２】
また、ボンベを操作するので、作業が簡易かつ安全であり、大気中への散逸も防止できるので環境保全上の問題がない。
【図面の簡単な説明】
【図１】本発明装置のフローシートである。
【図２】本発明方法の処理フローである。
【符号の説明】
１　高温室
２　低温室
３　ヒートポンプ
４　冷却器
５　加温器
６　凝縮器
７　回収冷媒容器
８　充填用空容器
９　蒸留管路
９１　ドライヤー
１０　分岐管路
１１　真空ポンプ
１２　ガス回収装置
１３　加温送風機
Ｘ　蒸留再生処理装置〔本発明装置〕
【図１】
2004024921.tif 000004
【図２】
2004024921.tif 000005
【手続補正書】
【提出日】平成15年6月30日(2003.6.30)
【手続補正１】
【補正対象書類名】明細書
【補正対象項目名】００１９
【補正方法】変更
【補正の内容】
【００１９】
【表１】
2004024921.tif 000006